(57)【要約】【課題】現在実用化されている輪投げ遊具は、目が不自由な者が輪投げに興じようとしても、的柱２の位置を誘導するものも、投げ輪１４が的柱２に入輪したことを報ずるものもなく、輪投げ遊技は全く不可能な状態である。【解決手段】基台１に赤外線光を照射するための投光素子３と、常時音楽信号を発するための音楽発生回路６と、入輪信号を発するための入輪音発生器７と、投げ輪１４の的柱２への入輪により、音楽信号を入輪信号に変換して入輪信号の発生時間を制限するための時限変換器８を設け、一方、的柱２には赤外線光を受光するための受光素子４を設けた。【選択図】  図１
2005013672.tif 000002
【特許請求の範囲】
【請求項１】
赤外線光を受光するための受光素子（４）を備えた的柱（２）と、的柱（２）を軸点（Ｘ）に直立させるための四角形状を有する基台（１）と、基台（１）の表面端部（１ｂ）に配置した赤外線光を照射するための投光素子（３）と、赤外線光を受光した受光素子（４）が発する出力電圧を増幅して検出するため基台（１）内部に配置した検出器（５）と、音楽信号集積回路を用いて音楽信号を時限変換器（８）に出力するため基台（１）内部に配置した音楽発生器（６）と、音楽信号を音楽演奏音として発するため基台（１）内部に配置したスピーカー（１１）と、発振回路（７ａ）が出力する入輪信号を時限変換器（８）に出力するため基台（１）内部に配置した入輪音発生器（７）と、投げ輪（１４）の的柱（２）への入輪により赤外線光が遮光され検出器（５）の出力が断じて音楽信号を発生時間の可変が可能な入輪信号に変換するため基台（１）内部に配置した時限変換器（８）と、各電子回路に電源を供給するため基台（１）内部に配置した電池収納器（９）及び電池（１０）と、電源を入切するため基台（１）側面に配置した電源スイッチ（１２）と、基台（１）裏面を保護するための裏蓋（１３）と、投げ輪（１４）から成る入輪音発生装置を備えた輪投げ遊具。
【請求項２】
基台（１）を丸形状とした請求項１記載の入輪音発生装置を備えた輪投げ遊具。
【請求項３】
投げ輪（１４）の的柱（２）への入輪時に於て、発振回路（７ａ）からなる入輪音発生器（７）に替えて、常時出力されている音楽信号以外の音楽信号の出力が可能な音楽発生器（６）を用い、スピーカー（１１）からは常時出力されている音楽演奏音以外の音楽演奏音が出力され、これを入輪音とすることにより、入輪音発生器（７）より出力される入輪音と同様に投げ輪（１４）の的柱（２）への入輪確認が可能な入輪音発生装置を備えた輪投げ遊具。
【発明の詳細な説明】
【０００１】
【発明の属する技術分野】
本発明の入輪音発生装置を備えた輪投げ遊具は、特に目の不自由な者が音楽演奏音の発生方向に向かって投げ輪を投じ、音響変化により的柱に投げ輪が入輪したことが確認出来ることの用に関する。
【０００２】
【従来の技術】
現在、この種の輪投げ遊具としては、例えば，特開平２０１−６０９「輪投げ玩具」、特開平０８−０７１２４９「輪投げ遊戯装置」、特開平０７−２４１３６０「輪投げ遊戯設備」、特開平０６−９１０２７「輪投げ用まと」、実開平５−２８３６５「輪投げ玩具」、実開平５−６５３９８「金属探知機付き玩具」等が公知されている。
【０００３】
然しながら、これ等のものは、的柱に投げ輪が入輪しても音響を発しないもの、的柱へ投げ輪が入輪したときは、的柱に装備された発光体が発光するもの、投げ輪が的柱に入輪したときのみ音響を発するものであって、投げ輪の的柱への未入輪時に於ても、音響等によって的柱の位置を示すものはなく、福祉団体や行政機関から、目の不自由な者に対しても配慮がなされた輪投げ遊具の実現が要望されていた。
【０００４】
【発明が解決しようとする課題】
前記のように、現在実用化されている輪投げ遊具では、目が不自由な者が輪投げ遊戯に興じようとしても、輪投げ遊具の所在が分からず、健常者が同行して、目の不自由な者が投げ輪を投じようとする位置から、輪投げ遊具が存在する的柱までの距離と位置を告げてやらなければならないという不便さがあり、特に目の不自由な者同士で輪投げを行うことは，全く不可能な状態である。
【０００５】
【課題を解決するための手段】
そこで、本発明の輪投げ遊具は、基台内部に常時音楽信号の発生が可能な音楽発生器と、投げ輪の的柱への入輪に依り入輪信号を発するための入輪音発生器と、音楽信号を入輪信号に変換するための時限変換器を装備し、常時スピーカーより音楽演奏音が出力されるようにしたため、目が不自由であっても、音楽演奏音の発生方向に向かって投げ輪を投ずることが可能となり、更に投げ輪が的柱に入輪すると、時限変換器によって音楽演奏音が入輪音に切り替わり、設定時間（１秒間から５秒間に設定）経過後、再び音楽演奏音が発せられるようになっている。
【０００６】
これを具体的に詳述すると、まず、基台の軸点に投げ輪を投ずるための的柱を直立させ、この軸点を挟んで対向する位置に、赤外線光の照射が可能な投光素子を仰角４５度となるように複数個取り付け、調整抵抗器を介して適宜な電流を流して赤外線光の照射が可能な状態にする。
【０００７】
一方、的柱は、投光素子より照射された赤外線光の受光が可能な状態となるように、軸線に対し４５度の傾角となるように受光素子を複数個取り付け、的柱を基台の軸点に装着するときは、受光素子と投光素子を完全に対向するようにして、投光素子から照射された赤外線光を完全に受光可能な状態にする。
【０００８】
また、基台内部には、受光素子からの出力信号を検出するための検出器と、常時音楽信号の発生が可能な音楽発生器と、発振器による入輪信号を発するための入輪音発生器を装備していて、これ等の出力信号は、全て時限変換器に出力されるようになっている。
【０００９】
以上により、投げ輪が的柱に入輪すると、投光素子から発せられる赤外線光は、投げ輪によって遮光されるため、受光素子の出力電圧は零となり、検出器はこれを検出して時限変換器に出力するため、音楽信号が入輪信号に切り替わり、入輪音発生器は、時限変換器内に有する時限回路の設定した時間（１秒から５秒間）に従って入輪信号を発生させ、基台に装備したスピーカーからは、音楽演奏音から入輪音に切り替わり、設定時間の経過後、再び音楽演奏音に切り替わって音楽演奏音を轟かせて輪投げ遊具の位置を誘導する。
【００１０】
投光素子及び受光素子を複数個用いる理由は、例えば、投光、受光素子を各々１個用いた場合、投げ輪の的柱への入輪状態によって赤外線光を遮光しない場合があり、このため、入輪信号が無発生となったり、逆に、投げ輪が的柱に衝突したのみで入輪しない場合でも、赤外線光を遮光すれば、受光素子から出力される出力電圧が断じて、入輪信号を発生させるという不具合があり、このような不具合を回避するためである。
【００１１】
【発明の実態の形態】
発明の実態の形態を図面を参照して説明すると、先ず図１に於て、合成樹脂を成型加工して作った正四角形状を有する基台１の軸点Ｘに的柱取付部１ａを設け、この的柱取付部１ａを挟んで対角線状に対向する２隅の位置に投光素子取付部１ｂを、各々軸点Ｘ方向に向けて仰角４５度となるように設ける。
【００１２】
図２を参照して、更に基台１の裏面には、検出器５を取り付けるための検出器取付部１ｃ、音楽発生器６を取り付けるための音楽発生器取付部１ｄ、入輪音発生器７を取り付けるための入輪音発生器取付部１ｅ、時限変換器８を取り付けるための時限変換器取付部１ｆ、電池収納器９を取り付けるための電池収納器取付部１ｇ、スピーカー１１を取り付けるためのスピーカー取付部１ｈ、電源スイッチ１２を取り付けるための電源スイッチ取付部１ｉ、裏蓋１３を取り付けるための裏蓋取付部１ｋをそれぞれ設け、スピーカー取付部１ｈ箇所より表面に貫通する音響抜け穴１ｊを設ける。
【００１３】
図１図２図４を参照して、基台１表面の投光素子各取付部１ｂに投光素子３をそれぞれ取り付け、投光素子３に適宜な電流を流すため、調整抵抗を介して電池収納器９に接続する。
【００１４】
図１図２図４を参照して、基台裏面の検出器取付部１ｃには検出器５を、音楽発生器取付部１ｄには音楽発生器６を、入輪音発生器取付部１ｅには入輪音発生器７を、時限変換器取付部１ｆには時限変換器８を、電池収納器取付部１ｇには電池収納器９を、スピーカー取付部１ｈにはスピーカー１１を、電源スイッチ取付部１ｉには電源スイッチ１２を取り付け、図４に示すとおり、相互間の結線を行う。
【００１５】
図１図３図４を参照して、的柱２は、合成樹脂を円柱状に成型加工した丸棒の一端に基台取付部を設け、他端側は手に良好な触感を与えるため丸味を付けて、更に、基台取付部２ａより軸線Ｘ−Ｘ方向に中空部２ｃを設けて、互いに１８０度対背し、且つ基台取付部２ａを基台１に設けた的柱取付部１ａに仮装着した場合、投光素子３と完全に対向するように、軸線Ｘ−Ｘに対して４５度に保つ位置に受光素子取付部２ｂを２箇所設け、この受光素子取付部２ｂに受光素子４をそれぞれ取り付け、基台取付部２ａを基台１に設けた的柱取付部１ａに完全に装着して、受光素子４の接続端子を基台１内に取り付けた検出器５にそれぞれ接続する。
【００１６】
図４を参照して、検出器５の構成は、受光素子４の出力電圧を約４０ｄＢ増幅を行うトランジスターを用いた検出回路５ａと、増幅された受光素子４からの出力電圧を、次に繋がる継電器の動作方向と一致させるためのＣ’ＭＯＳ型集積回路で構成された反転回路５ｂと、継電器の動作に必要な電力に増幅するためのトランジスターと継電器で構成された検出器出力回路５ｃからなっている。
【００１７】
図４を参照して、音楽発生器６は、１曲の演奏が可能な音楽信号集積回路６ａと、スピーカー１１を駆動するための出力トランジスターで構成された音楽信号出力回路６ｂからなり、音楽信号集積回路６ａと音楽信号出力回路６ｂに３Ｖの電圧を印加すると、直ちに音楽演奏音を開始して、電圧が２Ｖに低下するまで永続的に音楽演奏音を継続するようになっている。
【００１８】
図４を参照して、入輪音発生器７は、約５００Ｈｚ程度の周波数を持つ発振回路７ａと、出力トランジスターで構成された入輪音出力回路７ｂからなり、入輪音出力回路７ｂより出力された入輪信号出力は、時限変換器８に出力され、ここで入輪信号の出力時間を１秒から５秒に自在に設定されるようになっている。
【００１９】
以上により、入輪信号を発するための入輪音発生器７と、音楽信号を発するための音楽発生器６によって、入輪信号と音楽信号が発せられている状態に於て、投げ輪１４が的柱２に入輪すると、投げ輪１４によって赤外線光が遮光されて、受光素子４より出力されている出力電圧が零となり、これを検出器５が検出して時限変換器８に出力するため、時限変換器８の設定した設定時間に従って音楽信号が入輪信号に切り替わり、設定時間の経過後、再び音楽信号に復帰するため、スピーカー１１からは、音楽演奏音より入輪音に切り替わり、設定時間の経過後、再び音楽演奏音に復帰するようになっている。
【００２０】
投げ輪１４は、麻縄部１４ａと綿テープ部１４ｂからなり、マニラ麻を素材とした太さ１２ｍｍの麻縄を、長さ５００ｍｍに切断して、その切断面の両端を接続して輪状してから接続部分に接着剤を塗布して、接着箇所に綿テープを巻回したものであり、手に優しい感触となっている。
【００２１】
【実施例】
では、請求項１に基づいて、本発明の入輪信号発生装置を備えた輪投げ遊具の実施例を、図面を参照して説明する。
【００２２】
図１図２を参照して、基台１は合成樹脂材料を、縦２２０ｍｍ，横２２０ｍｍ，高さ３０ｍｍの四角形状に成型加工したもので、軸点Ｘに的柱２の脱着が自在な的柱取付部１ａを設け、的柱取付け部１ａを挟んで対角線状に対向する表面２隅に、仰角４５度となるように投光素子取付部１ｂをそれぞれ設け、また、基台１の裏面に、検出器取付部１ｃ、音楽発生器取付部１ｄ、入輪音発生器取付部１ｅ、時限変換器取付部１ｆ、電池収納器取付部１ｇ、スピーカー取付部１ｈ、電源スイッチ取付部１ｉ、裏蓋取付部１ｋ等を設け、更に、スピーカー取付部１ｈ箇所に、表面に貫通する音響抜け穴１ｊを設ける。
【００２３】
図３図４を参照して、検出回路５ａ反転回路５ｂ検出器出力回路５ｃがプリント基板に実装された検出器５を検出器取付部１ｃに、音楽信号集積回路６ａ音楽信号出力回路６ｂがプリント基板に実装された音楽発生器６を音楽発生器取付部１ｄに、発振回路７ａ入輪音出力回路７ｂがプリント基板に実装された入輪音発生器７を入輪音発生器取付部１ｅに、時限回路８ａ時限回路８ｂ変換出力回路８ｃがプリント基板に実装された時限変換器８を時限変換器取付部１ｆに、電池収納器９を電池収納器取り付け部１ｇに、スピーカー１１をスピーカー取付部１ｈに、電源スイッチ１２を電源スイッチ取付部１ｉにそれぞれ取り付けて、図４に示す通り、投光素子３の接続端子を調整抵抗を介して電池収納器に接続し、更に、各回路基板間の結線を行う。
【００２４】
図３を参照して、的柱２は、長さ２５０ｍｍ、太さ２５ｍｍに樹脂加工した円柱の一端に基台取付部２ａを設け、他端は手に良好な感触を得るため丸味を付けて、基台取付部２ａ側より軸線Ｘ−Ｘ方向に直径１０ｍｍの中空部２ｃを設け、更に、軸線Ｘ−Ｘに対して傾角４５度とし、且つ各々１８０度対背させ、基台取付部２ａを基台１に設けた的柱取付部１ａへ仮装着したとき、投光素子３と完全に対向する位置の２箇所に受光素子取付部２ｂを設ける。
【００２５】
図３図４を参照して、的柱２に設けた中空部２ａに２対の電線を挿通させ、この電線の一方を受光素子４の端子に接続し、受光素子４を受光素子取付部２ｂにそれぞれ取り付けて、的柱２に設けた基台取付部２ａを基台１の的柱取付部１ａに完全装着し、更に、受光素子４に接続した２対の電線の他方側を、基台１内に取り付けた検出器５内に有する検出回路５ａにそれぞれ接続し、基台１の裏蓋取付部１ｋに裏蓋１３を装着して本発明の入輪音発生装置を備えた輪投げ遊具は完成する。
【００２６】
投げ輪１４は、麻縄部１４ａと綿テープ部１４ｂからなり、太さ１２ｍｍのマニラ麻縄を、長さ５００ｍｍに切断し、切断面を接続して輪状にし、その接続個所に接着剤を塗布した後、綿テープを巻き回したもので、手に優しい感触の投げ輪１４となっている。
【００２７】
【発明の効果】
本発明の入輪音装置を備えた輪投げ遊具は、以上に説明したように構成しているため、以下に示すような効果を奏する。
【００２８】
本発明の入輪音発生措置を備えた輪投げ遊具は、基台内部に常時音楽信号を発することが可能な音楽発生器を装備したため、投げ輪が的柱へ入輪しないときは、スピーカーからは常時音楽演奏音が流れ、目が不自由であっても、音楽演奏音の発生方向に向かって投げ輪を投ずることにより、輪投げ遊技に興ずるとが可能となった。
【００２９】
更に、的柱には赤外線光を受光するための受光素子を配置し、また、基台には音楽発生器以外に、検出器、入輪音発生器、時限変換器等も配置したため、投げ輪が的柱に入輪すると、投げ輪によって投光素子から照射されて赤外線光が遮光されるため、受光素子から出力される出力電圧が断じ、これを検出器が検出して時限変換器に出力するため、時限変換器によって音楽信号から動作時間が設定された入輪信号に切り替わり、設定時間が経過すると、再び音楽信号に切り替わるため、スピーカーからは、音楽演奏音から入輪音に切り替わり、再び音楽演奏音に復帰するため、目が不自由であっても、単独で投げ輪が的柱に入輪したことを確認出来るようになった。
【００３０】
基台を丸形状とした請求項２の方法であっても、投光素子の取り付け位置を考慮すれば、四角形状の基台の場合と同様な効果が得られる。
【００３１】
発振回路を用いた電子音による入輪音に替えて、複数曲が内蔵された．音楽発生器内に有する音楽信号集積回路を用い、投げ輪の的柱への入輪時に於て、常時用いる曲以外の曲を入輪音とすることにより、電子音を入輪音として用いた場合と同様な効果を持つ、入輪音発生装置を備えた輪投げ遊具を製造することが可能となる。
【００３２】
本発明の入輪音発生装置を備えた輪投げ遊具の試作品を、輪投げ協会や福祉団体が主催する介護用品等の展示会場に出展したところ、東京都をはじめ、盲学校や福祉団体等から大好評を得ることが出来た。このため、一日も早期に量産化してこれを提供することにより、社会に大いに貢献することが出来るものと考えている。
【図面の簡単な説明】
【図１】本発明の請求項１に係る入輪音発生装置を備えた輪投げ遊具の立体図
【図２】本発明の請求項１に係る入輪音の発生装置を備えた輪投げ遊具に於ける基台の平面図。
【図３】（ａ）本発明の請求項１請求項２請求項３に係る入輪音発生装置を備えた輪投げ遊具に於ける的柱の立体図。
【図３】（ｂ）本発明の請求項１請求項２請求項３に係る入輪音発生装置を備えた輪投げ遊具に於ける的柱の断面図
【図４】本発明の請求項１請求項２請求項３に係る入輪音発生装置を備えた輪投げ遊具に於ける電気回路の系統図。
【符号の説明】
Ｘ          軸点
Ｘ−Ｘ      軸線
１          基台
１ａ        的柱取付部
１ｂ        投光素子取付部
１ｃ        検出器取付部
１ｄ        音楽発生器取付部
１ｅ        入輪音発生器取付部
１ｆ        時限変換器取付部
１ｇ        電池収納器取付部
１ｈ        スピーカー取付部
１ｉ        電源スイッチ取付部
１ｊ        音響抜け穴
１ｋ        裏蓋取付部
２          的柱
２ａ        基台取付部
２ｂ        受光素子取付部
２ｃ        中空部
３          投光素子
４          受光素子
５          検出器
５ａ        検出回路
５ｂ        反転回路
５ｃ        検出器出力回路
６          音楽発生器
６ａ        音楽信号集積回路
６ｂ        音楽信号出力回路
７          入輪音発生器
７ａ        発振回路
７ｂ        入輪音出力回路
８          時限変換器
８ａ        時限回路ａ
８ｂ        時限回路ｂ
８ｃ        変換出力回路
９          電池収納器
１０          電池
１１          スピーカー
１２          電源スイッチ
１３          裏蓋
１４          投げ輪
１４ａ        麻縄部
１４ｂ        綿テープ部
【図１】
2005013672.tif 000003
【図２】
2005013672.tif 000004
【図３】
2005013672.tif 000005
【図４】
2005013672.tif 000006